(57)【要約】【課題】従来のコンソールにおいては、タッチパネルに、スイッチの配列からなるアレイが表示されている。また、タッチパネル上に１枚のアレイしか表示できないことからアレイを遷移させるためのアレイスイッチを付加している。オペレータは押したいスイッチが配列されてあるアレイに到達するまで、複数回のアレイスイッチ操作を行い、アレイを遷移させる必要があった。このため迅速でかつ正確な操作が常に要求されているオペレータにとって、操作が煩雑であった。【解決手段】オペレータのスイッチ操作回数をシステムが保持し、タッチパネルに次に表示される操作アレイから遷移可能な操作アレイに含まれているスイッチのうち、操作回数の多いスイッチを別のアレイに操作支援アレイとして表示させることでオペレータがアレイを移動するためのスイッチ操作を削除し、オペレータの操作負荷の低減を図った。【選択図】図１
2007206836.tif 000002
【特許請求の範囲】
【請求項１】
複数のスイッチが含まれる操作アレイを表示する表示装置に接続された情報処理装置であって、
複数の操作アレイを管理し、各操作アレイに含まれるスイッチを他の操作アレイへの遷移に用いられる第一のスイッチと他の操作アレイへの遷移以外の用途に用いられる第二のスイッチのいずれかに分類するとともに第一のスイッチに対して遷移先の操作アレイを示す操作アレイ管理情報を格納する操作アレイ管理情報データベースと、
前記複数の操作アレイのうち前記表示装置が表示することになる表示操作アレイを判別する表示操作アレイ判別部と、
前記操作アレイ管理情報データベースに格納されている操作アレイ管理情報に基づき、前記表示操作アレイ判別部により判別された表示操作アレイに含まれる第一のスイッチから遷移可能な遷移可能操作アレイを抽出し、抽出した遷移可能操作アレイに含まれる第二のスイッチを抽出し、抽出した第二のスイッチのうち特定の条件に合致する第二のスイッチを選択し、選択した第二のスイッチを示す操作支援アレイ情報を生成する操作支援アレイ情報生成部と、
前記操作支援アレイ情報生成部により生成された操作支援アレイ情報を前記表示装置に対して出力する情報出力部とを有することを特徴とする情報処理装置。
【請求項２】
前記表示操作アレイ判別部は、
前記表示装置が表示することになる表示操作アレイが変更される度に、新たな表示操作アレイを判別し、
前記操作支援アレイ情報生成部は、
前記表示操作アレイ判別部により判別された新たな表示操作アレイに含まれる第一のスイッチから新たな遷移可能操作アレイを抽出して、新たな操作支援アレイ情報を生成することを特徴とする請求項１に記載の情報処理装置。
【請求項３】
前記操作支援アレイ情報生成部は、
抽出した遷移可能操作アレイに第一のスイッチが含まれる場合に、抽出した遷移可能操作アレイに含まれる第一のスイッチから遷移可能な操作アレイを遷移可能操作アレイとして抽出し、抽出した遷移可能操作アレイに含まれる第二のスイッチを抽出し、以降、抽出した遷移可能操作アレイに第一のスイッチが含まれなくなるまで遷移可能操作アレイの抽出と遷移可能操作アレイに含まれる第二のスイッチの抽出を繰り返すことを特徴とする請求項１に記載の情報処理装置。
【請求項４】
前記情報処理装置は、
前記表示装置に表示された操作アレイに含まれる第二のスイッチに対する入力情報を入力する入力装置と接続されており、
前記情報処理装置は、更に、
第二のスイッチごとに、前記入力装置による入力情報の入力回数をカウントする入力回数カウント部を有し、
前記操作アレイ管理情報データベースは、
第二のスイッチごとに、操作アレイ管理情報に、前記入力回数カウント部によりカウントされた入力回数を記録し、
前記操作支援アレイ情報生成部は、
遷移可能操作アレイから抽出した第二のスイッチのうち、前記操作アレイ管理情報データベースに記録された入力回数が多い順に所定数の第二のスイッチを選択することを特徴とする請求項１に記載の情報処理装置。
【請求項５】
前記情報処理装置は、
前記情報出力部からの操作支援アレイ情報に基づいて前記表示装置に表示された操作支援アレイに含まれる第二のスイッチに対する入力情報を入力する入力装置と接続されており、
前記情報処理装置は、更に、
第二のスイッチごとに、前記入力装置による入力情報の入力回数をカウントする入力回数カウント部を有し、
前記操作アレイ管理情報データベースは、
第二のスイッチごとに、操作アレイ管理情報に、前記入力回数カウント部によりカウントされた入力回数を記録し、
前記操作支援アレイ情報生成部は、
遷移可能操作アレイから抽出した第二のスイッチのうち、前記操作アレイ管理情報データベースに記録された入力回数が多い順に所定数の第二のスイッチを選択することを特徴とする請求項１に記載の情報処理装置。
【請求項６】
前記情報処理装置は、複数のオペレータにより利用され、
前記入力回数カウント部は、
それぞれのオペレータについて、第二のスイッチごとに、前記入力装置による入力情報の入力回数をカウントし、
前記情報処理装置は、更に、
前記入力回数カウント部によりカウントされた入力情報の入力回数をオペレータごとに記録する個人情報データベースを有し、
前記操作支援アレイ情報生成部は、
前記個人情報データベースに記録されている情報のうち現在情報処理装置を利用しているオペレータの入力回数の情報に基づいて、入力回数が多い順に所定数の第二のスイッチを選択することを特徴とする請求項４又は５に記載の情報処理装置。
【請求項７】
前記情報処理装置は、更に、
前記個人情報データベースに記録されている情報を所定の記憶媒体に書き込む情報書き込み部を有することを特徴とする請求項６に記載の情報処理装置。
【請求項８】
前記情報処理装置は、
所定の処理の実行要求を受付けるスイッチを第二のスイッチとしていることを特徴とする請求項１に記載の情報処理装置。
【請求項９】
複数のスイッチが含まれる操作アレイを表示する表示装置に情報を出力する情報出力方法であって、
前記表示装置が表示可能な複数の操作アレイのうち前記表示装置が表示することになる表示操作アレイを判別する表示操作アレイ判別ステップと、
前記複数の操作アレイの各々の操作アレイに含まれるスイッチを他の操作アレイへの遷移に用いられる第一のスイッチと他の操作アレイへの遷移以外の用途に用いられる第二のスイッチのいずれかに分類するとともに第一のスイッチに対して遷移先の操作アレイを示す操作アレイ管理情報を参照し、前記表示操作アレイ判別ステップにより判別された表示操作アレイに含まれる第一のスイッチから遷移可能な遷移可能操作アレイを抽出し、抽出した遷移可能操作アレイに含まれる第二のスイッチを抽出し、抽出した第二のスイッチのうち特定の条件に合致する第二のスイッチを選択し、選択した第二のスイッチを示す操作支援アレイ情報を生成する操作支援アレイ情報生成ステップと、
前記操作支援アレイ情報生成ステップにより生成された操作支援アレイ情報を前記表示装置に対して出力する情報出力ステップとを有することを特徴とする情報出力方法。
【請求項１０】
複数のスイッチが含まれる操作アレイを表示する表示装置に接続されたコンピュータに、
前記表示装置が表示可能な複数の操作アレイのうち前記表示装置が表示することになる表示操作アレイを判別する表示操作アレイ判別処理と、
前記複数の操作アレイの各々の操作アレイに含まれるスイッチを他の操作アレイへの遷移に用いられる第一のスイッチと他の操作アレイへの遷移以外の用途に用いられる第二のスイッチのいずれかに分類するとともに第一のスイッチに対して遷移先の操作アレイを示す操作アレイ管理情報を参照し、前記表示操作アレイ判別処理により判別された表示操作アレイに含まれる第一のスイッチから遷移可能な遷移可能操作アレイを抽出し、抽出した遷移可能操作アレイに含まれる第二のスイッチを抽出し、抽出した第二のスイッチのうち特定の条件に合致する第二のスイッチを選択し、選択した第二のスイッチを示す操作支援アレイ情報を生成する操作支援アレイ情報生成処理と、
前記操作支援アレイ情報生成処理により生成された操作支援アレイ情報を前記表示装置に対して出力する情報出力処理とを実行させることを特徴とするプログラム。
【発明の詳細な説明】
【技術分野】
【０００１】
本発明は、例えば、システムに搭載されているコンソールでスイッチ操作をする際に、オペレータに対して迅速で適切な状況判断を促すための装置等に関するものである。
【背景技術】
【０００２】
従来のシステムに搭載されるコンソールにおいては、オペレータがスイッチを操作するために、タッチパネルが接続されており、タッチパネルには、アレイと呼ばれるスイッチの配列が表示されている。アレイは、スイッチを機能毎にカテゴリ化した集合であり、多くの機能を実現するために複数存在している。またアレイがタッチパネル上に１枚しか表示できないことから、コンソールは複数のアレイを機能毎に階層化して管理し、アレイスイッチと呼ばれるアレイを遷移させるためのスイッチをアレイに付加することでオペレータがアレイスイッチ操作により階層を辿ることを可能とし、タッチパネルに表示されるアレイを制御している（例えば、特許文献１）。
【特許文献１】特開２００４−３０２５２２号公報
【発明の開示】
【発明が解決しようとする課題】
【０００３】
従来のシステムに搭載されるコンソールでは、アレイを階層化して管理していることから、オペレータは押したいスイッチが配列されてあるアレイに到達するまで、複数回のアレイスイッチ操作を行い、アレイを遷移させる必要があった。このため、迅速でかつ正確な操作が常に要求されているオペレータにとって、操作が煩雑であった。
【０００４】
さらに、従来のシステムに搭載されるコンソールでは、スイッチの数が非常に多いため、オペレータは、スイッチがどのアレイに配置されているのかを記憶しておく必要がありかなりの負荷になっていた。
【課題を解決するための手段】
【０００５】
本発明に係る情報処理装置は、
複数のスイッチが含まれる操作アレイを表示する表示装置に接続された情報処理装置であって、
複数の操作アレイを管理し、各操作アレイに含まれるスイッチを他の操作アレイへの遷移に用いられる第一のスイッチと他の操作アレイへの遷移以外の用途に用いられる第二のスイッチのいずれかに分類するとともに第一のスイッチに対して遷移先の操作アレイを示す操作アレイ管理情報を格納する操作アレイ管理情報データベースと、
前記複数の操作アレイのうち前記表示装置が表示することになる表示操作アレイを判別する表示操作アレイ判別部と、
前記操作アレイ管理情報データベースに格納されている操作アレイ管理情報に基づき、前記表示操作アレイ判別部により判別された表示操作アレイに含まれる第一のスイッチから遷移可能な遷移可能操作アレイを抽出し、抽出した遷移可能操作アレイに含まれる第二のスイッチを抽出し、抽出した第二のスイッチのうち特定の条件に合致する第二のスイッチを選択し、選択した第二のスイッチを示す操作支援アレイ情報を生成する操作支援アレイ情報生成部と、
前記操作支援アレイ情報生成部により生成された操作支援アレイ情報を前記表示装置に対して出力する情報出力部とを有することを特徴とする。
【発明の効果】
【０００６】
本発明によれば、表示操作アレイから遷移可能な操作アレイに含まれている第二のスイッチのうち特定の条件に合致する第二のスイッチを選択し、操作支援アレイ情報として表示することで、オペレータにより利用される可能性の高いスイッチ群が操作支援アレイとして表示される。これにより、アレイの階層管理から、オペレータは押したいスイッチが配列されてあるアレイに到達するまで、複数回のアレイスイッチ操作を行い、アレイを遷移させるという煩雑な操作をする必要がなくなり、利便性を向上させることができる。
さらに、オペレータは、スイッチがどのアレイに配置されているのかを記憶しておく必要がなくなり、利便性を向上させることができる。
【発明を実施するための最良の形態】
【０００７】
実施の形態１．
図１は、この発明の実施の形態１におけるスイッチ操作支援装置２（情報処理装置）を示すものである。
スイッチ操作装置３は、タッチパネル入力装置１、スイッチ操作装置３及びタッチパネル出力装置４と接続されている。
図１において、タッチパネル出力装置４は、図２に示すようにスイッチを機能毎にマトリックス状にカテゴリ化したアレイ（以下、操作アレイと呼ぶ）と操作回数の多いスイッチを配置させるアレイ（以下、操作支援アレイと呼ぶ）から構成されるアレイをタッチパネル形式で表示する。
操作アレイに表示されるスイッチは、アレイスイッチと処理スイッチの２種類に大別される。アレイスイッチは、現在表示されている操作アレイから他の階層のアレイに遷移するためのスイッチである。アレイスイッチは、第一のスイッチの例である。また、処理スイッチは、アレイスイッチ以外のスイッチであり、オペレータの要求に応じて実処理を行うためのスイッチである。処理スイッチは、第二のスイッチの例である。
操作アレイには、アレイスイッチと処理スイッチの両者が配置される。
一方、操作支援アレイには、操作回数の多い処理スイッチが配置される。
【０００８】
タッチパネル入力装置１は、本実施の形態に係るスイッチ操作支援装置２の入力としてタッチパネルで押下されたスイッチの行列情報（オペレータにより押下されたスイッチの行番号、列番号を特定する情報）を出力する。
【０００９】
スイッチ操作支援装置２は、タッチパネル入力装置１からスイッチの行列情報を入力すると操作アレイ、及び操作支援アレイの表示情報を取得しタッチパネル出力装置４へ出力する。タッチパネル出力装置４は、スイッチ操作支援装置２からの出力を入力としてタッチパネルにアレイの表示更新を行う。
【００１０】
図１６は、実施の形態１におけるスイッチ操作支援装置２のハードウェア資源の一例を示す図である。
図１６において、スイッチ操作支援装置２は、プログラムを実行するＣＰＵ９１１（Ｃｅｎｔｒａｌ・Ｐｒｏｃｅｓｓｉｎｇ・Ｕｎｉｔ、中央処理装置、処理装置、演算装置、マイクロプロセッサ、マイクロコンピュータ、プロセッサともいう）を備えている。ＣＰＵ９１１は、バス９１２を介してＲＯＭ９１３、ＲＡＭ９１４、タッチパネル９０１、通信ボード９１５、磁気ディスク装置９２０と接続されている。また、キーボード９０２、マウス９０３、ＦＤＤ（Ｆｌｅｘｉｂｌｅ・Ｄｉｓｋ・Ｄｒｉｖｅ）、コンパクトディスク装置９０５（ＣＤＤ）、プリンタ装置９０６、スキャナ装置９０７と接続されていてもよい。そして、ＣＰＵ９１１は、これらのハードウェアデバイスを制御する。磁気ディスク装置９２０の代わりに、光ディスク装置、メモリカード読み書き装置などの記憶装置でもよい。
ＲＡＭ９１４は、揮発性メモリの一例である。ＲＯＭ９１３、ＦＤＤ９０４、ＣＤＤ９０５、磁気ディスク装置９２０の記憶媒体は、不揮発性メモリの一例である。
【００１１】
磁気ディスク装置９２０には、オペレーティングシステム９２１（ＯＳ）、ウィンドウシステム９２２、プログラム群９２３、ファイル群９２４が記憶されている。プログラム群９２３のプログラムは、ＣＰＵ９１１、オペレーティングシステム９２１、ウィンドウシステム９２２により実行される。
【００１２】
上記プログラム群９２３には、以下に述べる実施の形態の説明において「〜部」、「〜器」、「〜手段」、として説明する機能を実行するプログラムが記憶されている。プログラムは、ＣＰＵ９１１により読み出され実行される。
ファイル群９２４には、以下に述べる実施の形態の説明において、「〜の判定結果」、「〜の計算結果」、「〜の処理結果」として説明する情報やデータや信号値や変数値やパラメータが、「〜ファイル」や「〜データベース」の各項目として記憶されている。「〜ファイル」や「〜データベース」は、ディスクやメモリなどの記録媒体に記憶される。ディスクやメモリになどの記憶媒体に記憶された情報やデータや信号値や変数値やパラメータは、読み書き回路を介してＣＰＵ９１１によりメインメモリやキャッシュメモリに読み出され、抽出・検索・参照・比較・演算・計算・処理・出力・印刷・表示などのＣＰＵの動作に用いられる。抽出・検索・参照・比較・演算・計算・処理・出力・印刷・表示・抽出のＣＰＵの動作の間、情報やデータや信号値や変数値やパラメータは、メインメモリやキャッシュメモリやバッファメモリに一時的に記憶される。
また、以下に述べる実施の形態の説明において説明するフローチャートの矢印の部分は主としてデータや信号の入出力を示し、データや信号値は、ＲＡＭ９１４のメモリ、ＦＤＤ９０４のフレキシブルディスク、ＣＤＤ９０５のコンパクトディスク、磁気ディスク装置９２０の磁気ディスク、その他光ディスク、ミニディスク、ＤＶＤ（Ｄｉｇｉｔａｌ・Ｖｅｒｓａｔｉｌｅ・Ｄｉｓｋ）等の記録媒体に記録される。また、データや信号は、バス９１２や信号線やケーブルその他の伝送媒体によりオンライン伝送される。
【００１３】
また、以下に述べる実施の形態の説明において「〜部」、「〜器」「〜手段」として説明するものは、「〜回路」、「〜装置」、「〜機器」、「手段」であってもよく、また、「〜ステップ」、「〜手順」、「〜処理」であってもよい。すなわち、「〜部」、「〜器」、「〜手段」として説明するものは、ＲＯＭ９１３に記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。ファームウェアとソフトウェアは、プログラムとして、磁気ディスク、フレキシブルディスク、光ディスク、コンパクトディスク、ミニディスク、ＤＶＤ等の記録媒体に記憶される。プログラムはＣＰＵ９１１により読み出され、ＣＰＵ９１１により実行される。すなわち、プログラムは、以下に述べる「〜部」、「〜器」、「〜手段」としてコンピュータを機能させるものである。あるいは、以下に述べる「〜部」、「〜器」、「〜手段」の手順や方法をコンピュータに実行させるものである。
【００１４】
スイッチ操作支援装置２は、従来システムであるスイッチ操作装置３で生じた課題を解決するために外付けした装置である。スイッチ操作支援装置２の詳細説明に入る前にスイッチ操作装置３の内部について図３を用いて説明を行う。
【００１５】
操作アレイスイッチ入力器１４では、アレイ判定器５から操作アレイで押下されたスイッチの行列情報を入力すると現在操作アレイに表示されているアレイを操作アレイ情報１９から行列情報をキーとしてスイッチ情報を取得し、操作アレイ遷移判定器１５に出力する。
操作アレイ情報１９は、例えば、図４に示す構造で表現される。操作アレイ情報１９には、現在表示されている操作アレイのスイッチの配列が示されており、操作アレイスイッチ入力器１４は、行列情報に基づいて操作アレイ情報１９から該当するレコードをスイッチ情報として取得する。
スイッチ情報は、図５で示す構造で表現される。スイッチ情報は、図５に示すように、オペレータにより押下されたスイッチの属性を示しており、処理スイッチの場合は実行先のモジュールが示され、アレイスイッチの場合はアレイスイッチの遷移先の操作アレイが示される。
【００１６】
操作アレイ遷移判定器１５では、入力したスイッチ情報に定義されている操作アレイ遷移先の値を見て当該スイッチがアレイスイッチであるか実処理を行う処理スイッチであるかを判定する。当該スイッチがアレイスイッチである場合、操作アレイ情報取得器１６に当該スイッチ情報を出力する。また当該スイッチが実処理を行う処理スイッチである場合、処理分配器１８へスイッチ情報を出力する。
【００１７】
操作アレイ情報取得器１６では、入力したスイッチ情報に定義されている操作アレイ遷移先の値をキーとしてスイッチ配置データベース１３を検索する。後述するように、スイッチ配置データベース１３は、図６に示す構造で表現されるスイッチ配置データベース情報を格納している。
操作アレイ情報取得器１６は、スイッチ配置データベース情報から次に表示すべき操作アレイ情報を図４の構造で表現される操作アレイ情報１９に保存し、操作アレイを更新するため、アレイ表示器１１に操作アレイ情報１９に保存した操作アレイ情報を出力する。
このようにして、スイッチ操作装置３では操作アレイの階層を遷移させ、タッチパネル出力装置４に表示される操作アレイの内容を更新する。
また、操作アレイ情報取得器１６は、スイッチ操作支援装置２の操作アレイ変更トリガー受信器９に表示更新トリガーを出力する。
【００１８】
一方、処理スイッチが押下されている場合は、処理分配器１８が、入力したスイッチ情報に定義されている実行先の値から当該スイッチの機能を実現する機能モジュールである実処理器１７にスイッチ情報を出力する。
また、処理分配器１８は、当該処理スイッチの操作回数のカウントのため、操作頻度保存器８にもスイッチ情報を出力する。
【００１９】
実処理器１７では、入力したスイッチ情報に定義されているスイッチ名から該当する処理を実行する。
【００２０】
以上が従来システムであるスイッチ操作装置の内部の仕組みである。
図３に示したアレイ判定器５、スイッチ押下トリガー送信器７、操作頻度保存器８、操作アレイ変更トリガー受信器９、及びアレイ表示器１１に関しては、スイッチ操作装置３にスイッチ操作支援装置２を接続するための仕組みであり、詳細は以下の図１におけるスイッチ操作支援装置２の内部で説明する。
【００２１】
スイッチ操作支援装置２は、概説すると、タッチパネル入力装置１において操作アレイ又は操作支援アレイにおいて処理スイッチが押下されたと判断した場合は、スイッチ操作装置３に該当する実処理を行わせるとともに、押下された処理スイッチの操作頻度をカウントする。また、操作アレイにおいてアレイスイッチが押下されたと判断した場合は、押下されたアレイスイッチから遷移する操作アレイ、つまり次に表示されることになる操作アレイ（表示操作アレイ）を判別するとともに、次に表示されることになる操作アレイに含まれているアレイスイッチから順に階層を遷移させて、押下されたアレイスイッチから遷移可能な操作アレイに含まれている処理スイッチを抽出するとともに、抽出した処理スイッチのうち操作回数の多い処理スイッチを操作支援アレイに含ませる処理スイッチとして選択する。そして、選択した処理スイッチの情報をタッチパネル出力装置４に出力することで、タッチパネル出力装置４には、オペレータが利用する可能性の高い処理スイッチ群が操作支援アレイとして表示される。
【００２２】
次に、図１を参照して、スイッチ操作支援装置２の内部構成を説明する。
【００２３】
図１において、スイッチ配置データベース１３には、図６に示されるスイッチ配置データベース情報が格納されている。
スイッチ配置データベース１３は、図６に示すように、タッチパネルに表示する全操作アレイの情報を配列で管理している。スイッチ配置データベース情報は、操作アレイごとに、当該操作アレイに含まれるスイッチ名と行列情報（行番号、列番号）、処理スイッチの場合は実行先のモジュール及び操作回数、アレイスイッチの場合は操作アレイ遷移先が示されている。図６の例では、ＡＡスイッチ、ＣＣスイッチはアレイスイッチであり、操作アレイ遷移先が示されている。一方、ＢＢスイッチ、ＤＤスイッチ、ＮＮスイッチは、処理スイッチであり、実行先のモジュールと操作回数が示されている。
なお、スイッチ配置データベース１３は、操作アレイ管理情報データベースの例である。
【００２４】
アレイ判定器５では、タッチパネル入力装置１から入力したスイッチの行列情報を基に操作アレイのスイッチ又は操作支援アレイのスイッチが押下されたかを判定する。操作アレイのスイッチが押下された場合、スイッチ操作装置３にスイッチの行列情報を出力し、操作支援アレイが押下された場合、操作支援アレイスイッチ入力器６にスイッチの行列情報を出力する。
【００２５】
操作支援アレイスイッチ入力器６では、アレイ判定器５から操作支援アレイで押下されたスイッチの行列情報を入力すると現在操作支援アレイに表示されているスイッチを示す操作支援アレイ情報１２からスイッチの行列情報をキーとして図５で示す構造で表現されるスイッチ情報を取得し、スイッチ押下トリガー送信器７に出力する。
操作支援アレイ情報１２は、図７に示す構造で表現されている。
なお、図５の例では、アレイスイッチの場合のスイッチ情報が例として示されている（操作アレイ遷移先が示されている）が、ここで操作支援アレイスイッチ入力器６からスイッチ押下トリガー送信器７に出力されるスイッチ情報は処理スイッチの情報であり、操作アレイ遷移先は示されず、代わりに実行先のモジュールの情報が示される。
【００２６】
操作支援アレイには、アレイスイッチを除いた操作回数の多い処理スイッチが配置されているので、当該アレイの処理スイッチを押下するとスイッチの機能を実現する処理を実行させる必要がある。スイッチ押下トリガー送信器７は、操作支援アレイで押下されたスイッチの処理を呼び出すためにスイッチ操作装置３と接続するための機能を有する。
【００２７】
スイッチ押下トリガー送信器７では、入力したスイッチ情報をスイッチ操作装置３の処理分配器１８に出力し、処理分配器１８ではスイッチ情報に示される実行先の項目から処理の実行先（実行モジュール）を判別し、当該スイッチ情報を実処理器１７へ出力することでスイッチの機能を実現させる。
【００２８】
またスイッチ押下トリガー送信器７では、スイッチ操作装置３の処理分配器１８に当該スイッチ情報を出力した後、操作頻度保存器８にも当該スイッチ情報を出力する。
【００２９】
操作頻度保存器８では、スイッチ操作装置３の処理分配器１８、又はスイッチ押下トリガー送信器７から入力したスイッチ情報に定義されているアレイ名とスイッチ名をキーとして、図６の構造で表現されるスイッチ配置データベース情報から当該スイッチに関する情報が保存されている場所を検索し、当該スイッチの操作回数を１増加させ保存する。
操作頻度保存器８は、入力回数カウント部の例である。
【００３０】
操作支援アレイは、図８に示すように現在表示されている操作アレイから遷移可能な操作アレイに配置される処理スイッチの内、操作回数の多い処理スイッチを表示するアレイであるため、操作支援アレイに表示されるスイッチは、操作アレイが遷移する毎に変更される。
つまり、操作アレイの階層が遷移することにより操作アレイの内容が変更になると、その都度、操作アレイに配置されているアレイスイッチの内容が変更するため、現在操作アレイに配置されているアレイスイッチから遷移可能な処理スイッチのうち操作回数の多い処理スイッチが操作支援アレイに表示される。
【００３１】
操作アレイ変更トリガー受信器９は、操作支援アレイの表示を更新するために操作アレイの表示更新トリガーを受信する機能を有する。
【００３２】
操作アレイ変更トリガー受信器９では、スイッチ操作装置３の操作アレイ情報取得器１６（図３）から押下されたアレイスイッチのスイッチ情報を入力すると、当該スイッチ情報を操作支援アレイ情報取得器１０に出力する。スイッチ情報は、前述したように、図５の構造で表示され、オペレータにより押下されたアレイスイッチの属性を示しており、当該アレイスイッチの遷移先の操作アレイが示されている。
【００３３】
操作支援アレイ情報取得器１０では、入力したスイッチ情報に定義されてある操作アレイ遷移先をキーとして当該遷移先のアレイから遷移可能な操作アレイに配置されてある処理スイッチの内、操作回数の多い処理スイッチをスイッチ配置データベース１３から検索し、図７に示す構造で表現される操作支援アレイ情報１２を構築する。
つまり、操作支援アレイ情報取得器１０は、スイッチ情報（図５）の操作アレイ遷移先の情報により次にタッチパネル出力装置４に表示されることになる操作アレイ（表示操作アレイ）を判別するとともに、次に表示されることになる操作アレイに含まれるアレイスイッチにより更に遷移可能な操作アレイ（遷移可能操作アレイ）を特定し、次に表示される操作アレイから遷移可能な操作アレイに含まれる処理スイッチを抽出し、抽出した処理スイッチのうち操作回数の多い処理スイッチを選択して、図７の操作支援アレイ情報を生成する。
操作支援アレイ情報取得器１０は、表示操作アレイ判別部及び操作支援アレイ情報生成部の例である。
【００３４】
次に、図９及び図１０を用いて、スイッチ操作支援装置２の動作を説明する。
先ず、図９を用いて、処理スイッチが押下された場合に、当該処理スイッチの操作回数をカウントする動作を説明する。
【００３５】
最初に、アレイ判定器５がタッチパネル入力装置１においてスイッチ押下があったか否かを判断する（Ｓ９０１）。具体的には、アレイ判定器５は、タッチパネル入力装置１から行列情報を取得したか否かを判断する。
スイッチ押下があった場合、すなわち行列情報を取得した場合は、アレイ判定器５は、行列情報から操作支援アレイへのスイッチ押下か、操作アレイへのスイッチ押下かを判断する（Ｓ９０２）。
【００３６】
操作支援アレイが押下された場合は、アレイ判定器５は、操作支援アレイスイッチ入力器６にスイッチの行列情報を出力し、操作支援アレイスイッチ入力器６は、アレイ判定器５からスイッチの行列情報を入力すると現在操作支援アレイに表示されているスイッチを示す操作支援アレイ情報（図７）からスイッチの行列情報をキーとして図５で示す構造で表現されるスイッチ情報を取得し、スイッチ押下トリガー送信器７に出力し、更に、スイッチ押下トリガー送信器７は入力したスイッチ情報をスイッチ操作装置３の処理分配器１８に出力し、処理スイッチに対応した実処理を実行させる（Ｓ９０３）。
また、スイッチ押下トリガー送信器７は、スイッチ操作装置３の処理分配器１８に当該スイッチ情報を出力した後、操作頻度保存器８にも当該スイッチ情報を出力する。
【００３７】
一方、操作アレイのスイッチが押下された場合は、アレイ判定器５は、スイッチ操作装置３の操作アレイスイッチ入力器１４にスイッチの行列情報を出力し（Ｓ９０４）、操作頻度保存器８がスイッチ操作装置３からの応答を待つ。
つまり、タッチパネル入力装置１で押下されたスイッチが操作アレイ内の処理スイッチであれば、スイッチ操作装置３の処理分配器１８からスイッチ情報を入力することになる。
このため、操作頻度保存器８は、スイッチ操作装置３の処理分配器１８からスイッチ情報を入力したか否かを判断し（Ｓ９０５）、スイッチ情報を入力した場合は、Ｓ９０６に進む。
一定時間内にスイッチ情報を入力しない場合は、タッチパネル入力装置１で押下されたスイッチが操作アレイ内のアレイスイッチであったことになり、処理を終了する。
【００３８】
操作頻度保存器８では、スイッチ操作装置３の処理分配器１８、又はスイッチ押下トリガー送信器７から入力したスイッチ情報に定義されているアレイ名とスイッチ名をキーとして、図６の構造で表現されるスイッチ配置データベース情報から当該スイッチに関する情報が保存されている場所を検索し、当該スイッチの操作回数を１増加させ保存する（Ｓ９０６）。
【００３９】
以上により、操作アレイ内の処理スイッチが押下された場合又は操作支援アレイ内の処理スイッチが押下された場合に、当該処理スイッチの操作回数がカウントされる。
【００４０】
次に、図１０を参照して、操作支援アレイのスイッチ配置を更新する動作を説明する。
【００４１】
最初に、操作アレイ変更トリガー受信器９が、操作支援アレイの表示を更新するために操作アレイの表示更新トリガーとしてスイッチ情報をスイッチ操作装置３の操作アレイ情報取得器１６から入力したか否かを判定する（Ｓ１００１）。操作アレイ情報取得器１６からスイッチ情報を入力する場合とは、これから操作アレイの表示内容が変更になる（アレイスイッチの押下により操作アレイがこれから遷移する）場合である。
操作アレイ変更トリガー受信器９は、入力したスイッチ情報を操作支援アレイ情報取得器１０に出力する。スイッチ情報には、前述したように、オペレータにより押下されたアレイスイッチの遷移先の操作アレイが示されている。
【００４２】
次に、操作支援アレイ情報取得器１０が、スイッチ情報の遷移先の操作アレイの情報から遷移先の操作アレイ（表示操作アレイ）を判別する（Ｓ１００２）（表示操作アレイ判別ステップ）。
【００４３】
次に、操作支援アレイ情報取得器１０は、スイッチ配置データベース１３を検索し、スイッチ配置データベース情報（図６）を参照して遷移先の操作アレイに含まれる各アレイスイッチの遷移先の操作アレイ（遷移可能操作アレイ）を抽出する（Ｓ１００３）（操作支援アレイ情報生成ステップ）。
【００４４】
次に、操作支援アレイ情報取得器１０は、Ｓ１００３で抽出した遷移可能な操作アレイに含まれる処理スイッチを抽出する（Ｓ１００４）（操作支援アレイ情報生成ステップ）。
【００４５】
なお、Ｓ１００３とＳ１００４は同時進行で行われる。
つまり、スイッチ配置データベース情報を参照して、遷移先の操作アレイに含まれる各アレイスイッチの遷移先の操作アレイを抽出し（Ｓ１００３）、抽出した操作アレイに含まれている処理スイッチを抽出し（Ｓ１００４）、更に、遷移先の操作アレイに含まれるアレイスイッチから更なる遷移先の操作アレイを抽出する（Ｓ１００３）。以降、同様の手順にて階層を進めながら遷移可能な操作アレイを抽出するとともに、抽出した操作アレイに含まれる処理スイッチを抽出する。そして、抽出した遷移可能操作アレイにアレイスイッチが含まれなくなるまで遷移可能操作アレイの抽出と遷移可能操作アレイに含まれる処理スイッチの抽出を繰り返す。
【００４６】
次に、操作支援アレイ情報取得器１０は、Ｓ１００４で抽出した処理スイッチのそれぞれについてスイッチ配置データベース情報（図６）に示された操作回数を参照し、操作頻度の多い処理スイッチを所定数選択する（Ｓ１００５）（操作支援アレイ情報生成ステップ）。
【００４７】
次に、操作支援アレイ情報取得器１０は、Ｓ１００５で選択した処理スイッチを示す操作支援アレイ情報を生成し（Ｓ１００６）（操作支援アレイ情報生成ステップ）、操作支援アレイ情報をアレイ表示器１１に出力する。
【００４８】
最後に、アレイ表示器１１が、タッチパネル出力装置４に操作支援アレイ情報を出力し、図２に示すように操作支援アレイが表示される。
【００４９】
次に、図１１のフローチャートを用いて、操作支援アレイ情報取得器１０の処理の流れを詳細に説明する。
【００５０】
図１１のＳＦ１において、押下されたスイッチのスイッチ情報が入力されると、当該情報に保存されている操作アレイ遷移先を取得し、ＳＦ２に出力する。
【００５１】
ＳＦ２において、入力した操作アレイ遷移先から遷移できるすべての操作アレイ情報を抽出するために操作アレイ情報取得処理ＳＦ３に操作アレイ遷移先を出力する。
【００５２】
ＳＦ３．１において、入力した操作アレイ遷移先をキーにスイッチ配置データベース１３から操作アレイ情報を取得しＳＦ３．２に出力する。
【００５３】
ＳＦ３．２からＳＦ３．４において、入力した操作アレイ情報をアレイ毎に保存する。さらに当該入力情報から操作アレイ遷移先がある場合、当該入力情報の操作アレイ遷移先を入力として、再帰的に操作アレイ情報取得処理ＳＦ３を呼び出すことでスイッチが押下された操作アレイから遷移できる操作アレイ情報をすべて取得する。
【００５４】
ＳＦ４では、操作アレイ情報取得処理ＳＦ３で取得したスイッチが押下された操作アレイから遷移できる操作アレイ情報に保存されるスイッチ操作回数を降順にソートする。
【００５５】
ＳＦ５では、ソートしたスイッチ操作回数の内、操作支援アレイに表示できるスイッチ数分、操作回数の多い順に上から取得し、操作支援アレイ情報を構築する。
【００５６】
アレイ表示器１１では、操作支援アレイ情報取得器１０から入力する操作支援アレイ情報とスイッチ操作装置３から入力する操作アレイ情報を１つのアレイ情報としてタッチパネル出力装置４に出力する。
【００５７】
タッチパネル出力装置４では、入力したアレイ情報の行列情報を基にタッチパネルへスイッチの表示を行う。
【００５８】
このように本実施の形態では、操作アレイに含まれるスイッチをアレイスイッチ（第一のスイッチ）と処理スイッチ（第二のスイッチ）のいずれかに分類するとともにアレイスイッチに対して遷移先の操作アレイを示すスイッチ配置データベース情報（操作アレイ管理情報）を格納するスイッチ配置データベース（操作アレイ管理情報データベース）と、タッチパネル出力装置（表示装置）が表示することになる遷移先の操作アレイ（表示操作アレイ）を判別し、遷移先の操作アレイに含まれるアレイスイッチから遷移可能な遷移可能操作アレイを抽出し、抽出した遷移可能操作アレイに含まれる処理スイッチを抽出し、抽出した処理スイッチのうち特定の条件に合致する処理スイッチを選択し、選択した処理スイッチを示す操作支援アレイ情報を生成する操作支援アレイ情報取得器（表示操作アレイ判別部、操作支援アレイ情報生成部）と、操作支援アレイ情報取得器により生成された操作支援アレイ情報をタッチパネル出力装置に対して出力するアレイ表示器（情報出力部）とを有するスイッチ操作支援装置（情報処理装置）について説明した。
【００５９】
また、本実施の形態に係るスイッチ操作支援装置では、操作支援アレイ情報取得器は、タッチパネル出力装置が次に表示することになる遷移先の操作アレイ（表示操作アレイ）が変更される度に、新たな遷移先の操作アレイを判別し、判別した新たな遷移先の操作アレイに含まれるアレイスイッチから新たな遷移可能操作アレイを抽出して、新たな操作支援アレイ情報を生成する。
【００６０】
更に、本実施の形態に係るスイッチ操作支援装置では、操作支援アレイ情報取得器は、抽出した遷移可能操作アレイにアレイスイッチが含まれる場合に、抽出した遷移可能操作アレイに含まれるアレイスイッチから遷移可能な操作アレイを遷移可能操作アレイとして抽出し、抽出した遷移可能操作アレイに含まれる処理スイッチを抽出する。
そして、以降、抽出した遷移可能操作アレイにアレイスイッチが含まれなくなるまで遷移可能操作アレイの抽出と遷移可能操作アレイに含まれる処理スイッチの抽出を繰り返す。
【００６１】
更に、本実施の形態に係るスイッチ操作支援装置は、タッチパネル出力装置に表示された操作アレイに含まれる処理スイッチに対する入力情報を入力するタッチパネル入力装置と接続されている。
そして、スイッチ操作支援装置は、処理スイッチごとに、タッチパネル入力装置による入力情報の入力回数をカウントする操作頻度保存部（入力回数カウント部）を有し、スイッチ配置データベースは、処理スイッチごとに操作頻度保存部よりカウントされた入力回数を記録する。
そして、操作支援アレイ情報取得器は、遷移可能操作アレイから抽出した処理スイッチのうち、スイッチ配置データベースに記録された入力回数が多い順に所定数の処理スイッチを選択する。
【００６２】
更に、本実施の形態に係るスイッチ操作支援装置では、タッチパネル入力装置から、操作支援アレイに含まれる処理スイッチに対する入力情報を入力し、操作頻度保存部は操作支援アレイに含まれる処理スイッチに対して入力された入力情報の入力回数もカウントする。
【００６３】
このように、本実施の形態では、操作アレイに表示されているスイッチの操作回数を保存することで当該操作アレイから選択可能なスイッチで操作頻度の高いスイッチを表示することができる。
つまり、オペレータにより押下されたアレイスイッチから遷移可能な操作アレイに含まれている処理スイッチのうち操作回数の多い処理スイッチを選択することで、タッチパネル出力装置４には、オペレータが利用する可能性の高い処理スイッチ群が操作支援アレイとして表示される。
これにより、アレイの階層管理から、オペレータは押したいスイッチが配列されてあるアレイに到達するまで、複数回のアレイスイッチ操作を行い、アレイを遷移させるという煩雑な操作をする必要がなくなり、利便性を向上させることができる。
さらに、オペレータは、スイッチがどのアレイに配置されているのかを記憶しておく必要がなくなり、利便性を向上させることができる。
【００６４】
なお、以上の説明では、次に表示されることになる操作アレイから遷移可能な操作アレイに含まれている処理スイッチを操作支援アレイとして表示する例を示した。これに限らず、次に表示されることになる操作アレイに含まれる処理スイッチを操作支援アレイに含ませてもよい。また、次に表示されることになる操作アレイよりも階層が上位の操作アレイに含まれている処理スイッチを操作支援アレイに含ませてもよい。
【００６５】
また、選択された処理スイッチを操作支援アレイに配置させる際に、画面の左（または右）から操作回数の多い処理スイッチから順に配置させるようにしてもよい。
【００６６】
更に、上記の説明では、処理スイッチの操作回数をカウントする際に、操作アレイ内の処理スイッチの押下の場合も操作支援アレイ内の処理スイッチの押下の場合も同じ扱いとした。しかし、例えば、操作支援アレイ内の処理スイッチが押下された場合は、２回とカウントするといったように、操作アレイ内の処理スイッチの押下と操作支援アレイ内の処理スイッチの押下の間で操作回数のカウントにおいて軽重を設けるようにしてもよい。
【００６７】
更に、上記の説明では、処理スイッチの操作回数に従って、操作支援アレイに含ませる処理スイッチを選択したが、操作履歴を加味して、処理スイッチを選択するようにしてもよい。
例えば、最後に操作が行われた時期と操作回数とで重み付けを計算し、優先順位を設定して処理スイッチを選択するようにする。このようにすれば、過去には頻繁に操作していたが、最近は操作することがない処理スイッチを操作支援アレイに含ませないようにすることができる。例えば、操作回数にかかわらず、最近の一定期間（例えば、３ヶ月）の間操作がないような処理スイッチは操作支援アレイに含ませないといった手法をとってもよい。
【００６８】
実施の形態２．
実施の形態１では、スイッチの操作回数をスイッチ配置データベースに保存することで１人のオペレータの操作回数を管理していたが、実施の形態２では１台のコンソールを複数のオペレータが使用した際に、各オペレータの操作回数を別々に管理するための実施の形態である。
本実施の形態では、実施の形態１と異なる点を説明する。
【００６９】
図１２はこの発明の実施の形態２におけるスイッチ操作支援装置２を示すものである。
図１２において、個人データ設定手段２０は、コンソールログイン時に図１３に示す個人情報設定ウィンドウをコンソールに表示させ、最大入力数８文字で名前とパスワードの入力を促す。
【００７０】
オペレータが名前とパスワードを入力し、ＯＫボタンを押下すると個人データ設定手段２０は、図１４に示す構造で表現される個人情報データベース２１から名前をキーにしてパスワードが合致しているか確認する。
【００７１】
パスワードが間違っていた場合は、図１３に示す個人情報設定ウィンドウを再表示させ、再度入力を促す。
【００７２】
パスワードが正しい場合は、個人情報データベース２１に保存されている選択されたオペレータのスイッチ配置データベースをスイッチ配置データベース１３に上書きすることでオペレータの操作回数をコンソールに反映させる。
【００７３】
また、個人情報設定ウィンドウに新規ユーザーを登録する場合は、名前とパスワードを入力し新規登録ボタンを押下することで、個人情報データベース２１に新規ユーザーを登録する。
【００７４】
このような構成をとることで、オペレータの操作回数を保存しているスイッチ配置データベースをオペレータ毎に管理し、１台のコンソール上で操作するオペレータ毎にカスタマイズされた操作支援アレイを表示させることが可能になる。
【００７５】
本実施の形態では、操作頻度保存部（入力回数カウント部）は、複数のオペレータのそれぞれについて、処理スイッチごとに、入力情報の入力回数をカウントし、個人情報データベースが操作頻度保存部によりカウントされた入力情報の入力回数をオペレータごとに記録し、操作支援アレイ情報取得器は、個人情報データベースに記録されている情報のうち現在スイッチ操作支援装置を利用しているオペレータの入力回数の情報に基づいて、入力回数が多い順に処理スイッチを選択する例を説明した。
【００７６】
実施の形態３．
上記実施の形態２では、１台のコンソール上で複数オペレータの操作回数を管理していたが、各オペレータの操作支援アレイを他コンソールに表示させることができなかった。実施の形態３では、各オペレータが自身のスイッチ操作回数を保存した記憶媒体を持ち、他コンソールを使用する際に当該記憶媒体を読み込ませることで、他コンソールでも自分用にカスタマイズされた操作支援アレイを表示させることを可能にするための実施の形態を示す。
本実施の形態では、実施の形態１、２と異なる点を説明する。
【００７７】
図１５は、実施の形態３におけるスイッチ操作支援装置を示すものである。図１５において、操作回数設定／保存手段２２（情報書き込み部）は、個人情報データベース２１を記憶媒体へ書き込むスイッチ、または記憶媒体から個人情報データベース２１を読み込むスイッチが押下された場合に、スイッチ情報をタッチパネル入力装置１、アレイ判定器５、及び操作支援アレイスイッチ入力器６を経由して入力する箇所である。
【００７８】
操作回数設定／保存手段２２では、記憶媒体へ書き込むスイッチのスイッチ情報を入力すると個人情報データベース２１に保存されている現在ログインしているオペレータの情報（名前、パスワード、スイッチ配置データベース）を読み込み、操作頻度保存媒体２３にコピーする。
【００７９】
また記憶媒体から読み込むスイッチのスイッチ情報を入力すると当該記憶媒体に保存されている現在ログインしているオペレータの個人情報データベース２１を読み込み、スイッチ操作支援装置２が保持する個人情報データベース２１にコピーする。
【００８０】
このような構成をとることで、個人情報データベース２１のポータビリティを高め、他コンソールにおいても各オペレータの操作支援アレイを表示させることを可能にする。
【００８１】
なお、以上の実施の形態１−３の説明では、スイッチ操作支援装置２とスイッチ操作装置３が別々の装置である例を示したが、スイッチ操作支援装置２とスイッチ操作装置３が一体となった装置であってもよい。
【００８２】
また、以上の実施の形態１−３の説明では、スイッチ操作支援装置２は、タッチパネル入力によりスイッチの情報を入力していたが、キーボード入力やマウス入力によりスイッチの情報を入力してもよく、必ずしも、タッチパネル入力装置１やタッチパネル出力装置４と接続されていなくてもよい。
【００８３】
以上の実施の形態１−３がソフトウェアプログラムで実現されている場合、ソフトウェアプログラムが処理スイッチの操作頻度をカウントするとともに遷移可能な操作アレイに含まれる処理スイッチのうち操作頻度が高い処理スイッチを操作支援アレイとして表示するように処理するので、実施の形態１−３に示す機能を実現する場合に、ハードウェアたる新たな専用装置等を創作しなくとも、汎用のコンピュータを用いて、専用装置を創作したのと同様な結果が得られるのである。したがって、この実施の形態１−３のソフトウェアの開発は、自然法則を利用した技術的創作である。すなわち、実施の形態１−３に示された処理の実現は、経済法則ではないし、人為的取決めでもないし、人間の精神活動でもなく、自然法則を利用した技術的創作である。
【図面の簡単な説明】
【００８４】
【図１】この発明の実施の形態１を示すスイッチ操作支援装置のブロック図である。
【図２】この発明の実施の形態１を説明するためのタッチパネルを示す図である。
【図３】この発明の実施の形態１を示すスイッチ操作装置のブロック図である。
【図４】この発明の実施の形態１で使用される操作アレイ情報の構造を示す図である。
【図５】この発明の実施の形態１で使用されるスイッチ情報の構造を示す図である。
【図６】この発明の実施の形態１で使用されるスイッチ配置データベースの構造を示す図である。
【図７】この発明の実施の形態１で使用される操作支援アレイ情報の構造を示す図である。
【図８】この発明の実施の形態１を説明するためのアレイの構造を示す図である。
【図９】この発明の実施の形態１を示すスイッチ操作支援装置の動作例を示すフローチャート図である。
【図１０】この発明の実施の形態１を示すスイッチ操作支援装置の動作例を示すフローチャート図である。
【図１１】この発明の実施の形態１を示すスイッチ操作支援装置の操作支援アレイ情報取得器を説明するためのフローチャート図である。
【図１２】この発明の実施の形態２を示すスイッチ操作支援装置のブロック図である。
【図１３】この発明の実施の形態２で使用される個人情報設定ウィンドウを示す図である。
【図１４】この発明の実施の形態２で使用される個人情報データベースの構造を示す図である。
【図１５】この発明の実施の形態３を示すスイッチ操作支援装置のブロック図である。
【図１６】この発明の実施の形態１−３のスイッチ操作支援装置のハードウェア構成例を示す図である。
【符号の説明】
【００８５】
１  タッチパネル入力装置、２  スイッチ操作支援装置、３  スイッチ操作装置、４  タッチパネル出力装置、５  アレイ判定器、６  操作支援アレイスイッチ入力器、７  スイッチ押下トリガー送信器、８  操作頻度保存器、９  操作アレイ変更トリガー受信器、１０  操作支援アレイ情報取得器、１１  アレイ表示器、１２  操作支援アレイ情報、１３  スイッチ配置データベース、１４  操作アレイスイッチ入力器、１５  操作アレイ遷移判定器、１６  操作アレイ情報取得器、１７  実処理器、１８  処理分配器、１９  操作アレイ情報、２０  個人データ設定手段、２１  個人情報データベース、２２  操作回数設定／保存手段、２３  操作頻度保存媒体。
【図１】
2007206836.tif 000003
【図２】
2007206836.tif 000004
【図３】
2007206836.tif 000005
【図４】
2007206836.tif 000006
【図５】
2007206836.tif 000007
【図６】
2007206836.tif 000008
【図７】
2007206836.tif 000009
【図８】
2007206836.tif 000010
【図９】
2007206836.tif 000011
【図１０】
2007206836.tif 000012
【図１１】
2007206836.tif 000013
【図１２】
2007206836.tif 000014
【図１３】
2007206836.tif 000015
【図１４】
2007206836.tif 000016
【図１５】
2007206836.tif 000017
【図１６】
2007206836.tif 000018